(57)【要約】【課題】円盤状の回転刃の外周に形成された複数の切刃を、一度に連続的に研磨することのできる、目立て装置を提供する。【解決手段】外周に複数の切刃９１、・・・及びポケット９２、・・・が形成された円盤状の回転刃９０の目立て装置１であって、回転刃９０を回転可能に支持する支持手段を有するベース２と、ベース２に移動可能に巻き掛けられた巻掛伝動部材としてのベルト３と、ベルト３に取り付けられた複数のホルダ４、・・・であって、回転刃９０のポケット９２に嵌合する形状にされベルト３に固定される固定部４１と、回転刃９０の切刃９１を研磨する研磨部材４２を有し固定部４１に対して揺動可能である揺動部４３と、を有する、複数のホルダ４と、を備えている。【選択図】図１
2019000924.tif 000002
【特許請求の範囲】
【請求項１】
外周に複数の切刃及びポケットが形成された円盤状の回転刃の目立て装置であって、
前記回転刃を回転可能に支持する支持手段を有するベースと、
前記ベースに移動可能に巻き掛けられた巻掛伝動部材と、
前記巻掛伝動部材に取り付けられた複数のホルダであって、前記回転刃の前記ポケットに嵌合する形状にされ前記巻掛伝動部材に固定される固定部と、前記回転刃の前記切刃を研磨する研磨部材を有し前記固定部に対して揺動可能である揺動部と、を有する、複数のホルダと、を備える、回転刃の目立て装置。
【請求項２】
前記回転刃の前記ポケットに前記ホルダの前記固定部が嵌合された状態で、前記回転刃が回転駆動されることによって前記巻掛伝動部材が移動する際に、前記ホルダの前記揺動部が接触する波板部材をさらに備える、請求項１に記載された回転刃の目立て装置。
【請求項３】
前記研磨部材は、前記回転刃の前記切刃のすくい面と逃げ面とをそれぞれ研磨する、すくい面用研磨部材と逃げ面用研磨部材とから構成される、請求項１又は請求項２に記載された回転刃の目立て装置。
【発明の詳細な説明】
【技術分野】
【０００１】
本発明は、例えば草刈機などに用いられる、円盤状の回転刃の目立て装置に関するものである。
【背景技術】
【０００２】
草刈機（刈払機）には、全体として円盤状であり、刃が等間隔で外周に形成された回転刃が使用されている。この回転刃は、繰り返して使用されることで摩耗し、切削能力が低下する。そのため、回転刃を研磨するために、従来はグラインダを使用して切刃を１つずつ研磨していた。
【０００３】
例えば、特許文献１には、研磨刃の角度を交互に変えるように構成されていることで、すくい面については刃を連続的に研磨でき、さらに、逃げ面についても刃を連続的に研磨できる研磨装置が記載されている（特許文献１を参照）。
【先行技術文献】
【特許文献】
【０００４】
【特許文献１】特開２０１０−２０１５６１号公報
【発明の概要】
【発明が解決しようとする課題】
【０００５】
ところで特許文献１を含む従来の研磨装置は、切刃を回転させて１枚ずつ研磨するように構成されている。しかしながら、従来の研磨装置のように、切羽を回転移動させて１枚ずつ研磨する手法では、研磨刃の角度を一定に保持することが困難で精度が安定しないうえ、研磨のために長時間を要していた。
【０００６】
そこで、本発明は、円盤状の回転刃の外周に形成された複数の切刃を、一度に連続的に研磨することのできる、目立て装置を提供することを目的としている。
【課題を解決するための手段】
【０００７】
前記目的を達成するために、本発明の回転刃の目立て装置は、外周に複数の切刃及びポケットが形成された円盤状の回転刃の目立て装置であって、前記回転刃を回転可能に支持する支持手段を有するベースと、前記ベースに移動可能に巻き掛けられた巻掛伝動部材と、前記巻掛伝動部材に取り付けられた複数のホルダであって、前記回転刃の前記ポケットに嵌合する形状にされ前記巻掛伝動部材に固定される固定部と、前記回転刃の前記切刃を研磨する研磨部材を有し前記固定部に対して揺動可能である揺動部と、を有する、複数のホルダと、を備えている。
【発明の効果】
【０００８】
このように、本発明の回転刃の目立て装置は、ベースと、巻掛伝動部材と、巻掛伝動部材に取り付けられた複数のホルダであって、回転刃のポケットに嵌合する形状にされ巻掛伝動部材に固定される固定部と、回転刃の切刃を研磨する研磨部材を有し固定部に対して揺動可能である揺動部と、を有する、複数のホルダと、を備えている。このような構成によれば、円盤状の回転刃の外周に形成された複数の切刃を、一度に連続的に研磨することができる。
【図面の簡単な説明】
【０００９】
【図１】実施例１の回転刃の目立て装置の斜視図である。
【図２】実施例１の回転刃の目立て装置の説明図である。（ａ）は平面図であり（ｂ）は正面図である。
【図３】実施例１の回転刃の目立て装置を部品要素に分解した斜視図である。
【図４】実施例１のホルダの説明図である。（ａ）は斜視図であり（ｂ）は平面図であり（ｃ）は正面図である。
【図５】変形例の回転刃の目立て装置の説明図である。（ａ）は平面図であり（ｂ）は側面図である。
【図６】実施例２の回転刃の目立て装置の説明図である。（ａ）は平面図であり（ｂ）は中央近傍の断面図であり（ｃ）は端部近傍の断面図である。
【図７】実施例２の回転刃の目立て装置を部品要素に分解した斜視図である。
【図８】実施例３のホルダの平面図である。
【図９】実施例３のホルダの斜視図である。
【発明を実施するための形態】
【００１０】
以下、本発明の実施の形態について図面を参照して説明する。
【実施例１】
【００１１】
（構成）
まず、図１を用いて本発明の回転刃の目立て装置１の構成を説明する。本発明の回転刃の目立て装置１は、図１〜３に示すように、外周に複数の切刃９１及びポケット９２が形成された円盤状の回転刃９０の切刃９１を研磨するための目立て装置１である。
【００１２】
回転刃の目立て装置１は、回転刃９０を回転可能に支持する支持手段を有するベース２と、ベース２に移動可能に巻き掛けられた巻掛伝動部材としてのベルト３と、ベルト３に取り付けられた複数のホルダ４、・・・であって、回転刃９０のポケット９２に嵌合する形状にされ巻掛伝動部材３に固定される固定部４１と、回転刃９０の切刃９１を研磨する研磨部材４２を有し固定部４１に対して揺動可能である揺動部４３と、を有する、複数のホルダ４と、を備える。
【００１３】
ベース２は、例えば金属によって四角形の板状に形成されるものであり、回転刃９０を回転可能に支持する支持手段としての５つのローラ２１、・・・を備えている。ローラ２１は、円周方向に対して傾斜するように配置されており、回転刃９０を左回りに回転させたときに中心向きに回転刃９０を付勢するようにされている。ベース２は、さらに、一対のスプロケット（又はプーリ）２２、２２と、後述する波板部材５と、を備えている。この他、ベース２は、机や作業台や地表などに固定できる固定手段を有していてもよい。
【００１４】
スプロケット２２は、ベース２の一辺に沿って所定の距離だけ離間された状態で、ベース２に回転可能に支持されている。スプロケット２２、２２には、ベルト３が掛け回されており、この構成によってベルト３はベース２に対して移動可能に巻き掛けられている。そして、これらのスプロケット２２、２２の間には、後述する波板部材５が配置されている。
【００１５】
巻掛伝動部材としてのベルト３は、弾性変形をする素材、例えば合成ゴム製の無端ベルトである。ベルト３は、ベース２に回転可能に支持されたスプロケット２２、２２に巻き掛けられているが、陸上競技のトラックの形状のようにピンと張った状態ではなく、一方の直線部分が内側に円弧状に突出できる程度の遊びを持った状態とされている。すなわち、ベルト３は、スプロケット２２、２２の円周長さとスプロケット２２、２２中心間の距離の２倍とを足した長さよりも、長くなっている。
【００１６】
ホルダ４は、図４（ａ）〜（ｃ）に示すように、弾性を有する合成樹脂等によって成形されており、ベルト３に等間隔に複数取り付けられる。ホルダ４は、回転刃９０のポケット９２に嵌合する形状にされベルト３に固定される固定部４１と、回転刃９０の切刃９１を研磨する研磨部材４２を有し固定部４１に対して揺動可能であるラグビーボール形状の断面を有する揺動部４３と、を備えている。そして、固定部４１と搖動部４３は、ひとまわり細くされた架橋部４４を介して接続されて一体になっている。
【００１７】
このうち固定部４１の回転刃９０に向いた側面は、図４（ａ）、（ｂ）に示すように、回転刃９０のポケット９２に嵌合するように、搖動部４３から遠い側の隅角部が面取りされている。換言すると、ポケット９２の前方側の辺（すなわち、切刃９１の後方側の辺）の形状と、固定部４１の前方側の面取り形状は、略一致するようにされている。
【００１８】
また、研磨部材４２は、金属等によって円柱状に形成され、ベルト３の弾性によって固定刃９０に押し付けられることによって、かつ、固定部４１に相対的に搖動（回動）されることによって回転刃９０に相対的に搖動（回動）されることによって、回転刃９０の切刃９１を研磨するようになっている。この搖動動作は、図４（ｃ）に示すように、後述する波板部材５（５１、５２）にラグビーボール断面の搖動部４３の上下が接触することによって生じるようになっている。
【００１９】
そして、本実施例の回転刃の目立て装置１は、回転刃９０のポケット９２にホルダ４の固定部４１が嵌合された状態で、回転刃９０が回転駆動されることによってベルト３が移動する際に、ホルダ４の揺動部４３が接触する波板部材５をさらに備えている。
【００２０】
波板部材５は、図２（ｂ）、図３に示すように、上側の波板部材５１と、下側の波板部材５２と、によって構成されており、上下の波板部材５１、５２は、ホルダ４の搖動部４３の上下端部が交互に接触するように配置されている。すなわち、上側の波板部材５１の山と下側の波板部材５２の谷とが対応するように配置されている。
【００２１】
この波板部材５にホルダ４の搖動部４３が接触することによって、搖動部４３に対して上下方向に力が作用する。そして、ベルト３自体の弾性とホルダ４の架橋部４４の弾性とによって、搖動部４３が上下動するようになっている。
【００２２】
この他、円盤状の回転刃９０には、図５に示すように、ハンドル８０を取り付けることもできる。ハンドル８０は、中心部を回転可能に保持された回転刃９０の中心に取り付けられており、ハンドル８０の取手部を手で把持して回すことによって、手動で回転刃９０を回転駆動させることができるようになっている。
【００２３】
（効果）
次に、本実施例の回転刃の目立て装置１の奏する効果を列挙して説明する。
【００２４】
（１）上述してきたように、本実施例の回転刃の目立て装置１は、外周に複数の切刃９１、・・・及びポケット９２、・・・が形成された円盤状の回転刃９０の目立て装置１であって、回転刃９０を回転可能に支持する支持手段を有するベース２と、ベース２に移動可能に巻き掛けられた巻掛伝動部材としてのベルト３と、ベルト３に取り付けられた複数のホルダ４、・・・であって、回転刃９０のポケット９２に嵌合する形状にされベルト３に固定される固定部４１と、回転刃９０の切刃９１を研磨する研磨部材４２を有し固定部４１に対して揺動可能である揺動部４３と、を有する、複数のホルダ４と、を備えている。このような構成によって、本実施例の回転刃の目立て装置１は、円盤状の回転刃９０の外周に形成された複数の切刃９１、・・・を、一度に連続的に研磨することができる。
【００２５】
つまり、回転刃９０を複数のホルダ４、・・・が取り付けられたベルト３に押し付けた状態で、回転刃９０を回転することで、自動的に切刃９１が研磨部材４２によって研磨されるため、切刃９１を１つずつ研磨するよりも効率よく研磨できる。
【００２６】
また、回転刃９０のポケット９２にホルダ４の固定部４１が嵌合された状態で、回転刃９０が回転駆動されることによって巻掛伝動部材が移動する際に、ホルダ４の揺動部４３が接触する波板部材５をさらに備えることで、研磨部材４２を上下に搖動させて切刃９１を効率よく研磨することができる。すなわち、回転刃９０の回転方向の力を波板部材５及び搖動部材４３を介して研磨部材４２の上下方向の力へと変換することで、研磨部材４２を効率よく研磨することができる。
【００２７】
また、巻掛伝動部材としてのベルト３は、ベース２に設置された一対のスプロケット２２、２２に巻き掛けられているため、抵抗が少なくベルト３を円滑に回転させることができるようになり、搖動部４３の上下動を円滑にすることができる。
【００２８】
さらに、回転刃９０は、使用されるときの駆動装置によって回転駆動されるように構成することができる。例えば、草刈機用の回転刃９０であれば、草刈機自体の駆動装置（エンジンなど）によって回転駆動されることで、回転刃の目立て装置１側に駆動装置を準備する必要がなくなる。
【００２９】
一方、回転刃９０は、ハンドル８０が取り付けられて手動で回転駆動されるように構成することもでき、この場合には、手で押付け力とともに回転速度を調整することが容易になる。
【実施例２】
【００３０】
次に、図６、図７を用いて、実施例１とは別の形態の回転刃の目立て装置１Ａについて説明する。なお、前記実施の形態で説明した内容と同一乃至均等な部分の説明については同一符号を付して説明する。
【００３１】
まず構成について説明すると、本実施例の回転刃の目立て装置１Ａは、ベース２と、ベルト３と、固定部４１と揺動部４３とを有する複数のホルダ４と、を備えている点は実施例１と略同様である。
【００３２】
そして、本実施例の回転刃の目立て装置１Ａでは、ベルトとして摩擦抵抗の少ない金属製等のベルト３Ａを使用していることに加え、さらに、ベルト３Ａがガイドレール２３に巻き掛けられている点が実施例１と異なる。すなわち、ガイドレール２３は、図６、図７に示すように、コ字状の断面形状とされて、陸上競技のトラックの一方の直線を内側に凹形状に窪ませた平面形状となっている。そして、ガイドレール２３にベルト３Ａが巻き掛けられて、回転刃９０が押し付けられるようになっている。
【００３３】
次に、作用について説明すると、巻掛伝動部材としてのベルト３Ａは、ベース２に固定されたガイドレール２３に接触しているため、回転刃９０を押し付けた際にベルト３Ａが変形しないため、搖動部４３の上下動によって回転刃９０の切刃９１を研磨できるようになる。
【００３４】
この他の構成および作用効果は、実施例１と略同様であるため説明を省略する。
【実施例３】
【００３５】
次に、図８、図９を用いて、実施例１、２とは別の形態のホルダ４について説明する。なお、前記実施の形態で説明した内容と同一乃至均等な部分の説明については同一符号を付して説明する。
【００３６】
本実施例のホルダ４は、研磨部材４２として、すくい面用研磨部材４２ａと、搖動部４３から後方に突出した板状の逃げ面用研磨部材４２ｂとから構成される研磨部材４２を備える点が実施例１、２のホルダ４と異なっている。すくい面用研磨部材４２ａは、搖動部４３の形状に合わせてフットボール形乃至楕円形の断面を有している。さらに、逃げ面用研磨部材４２ｂの研磨面（ヤスリ面）は、回転刃９０の円周方向よりも中心向きに傾斜している。
【００３７】
次に、作用について説明すると、本実施例の研磨部材４２は、回転刃９０の切刃９１のすくい面９１ａと逃げ面９１ｂとをそれぞれ研磨する、すくい面用研磨部材４２ａと逃げ面用研磨部材４２ｂとから構成されることで、すくい面９１ａ及び逃げ面９１ｂの両方を研磨することができる。この場合、逃げ面用研磨部材４２ｂは、円周方向よりも中心向きに傾斜していることで、円周方向に沿って研磨する構成と比べて切れ味が向上する。
【００３８】
この他の構成および作用効果は、実施例１、２と略同様であるため説明を省略する。
【００３９】
以上、図面を参照して、本発明の実施例を詳述してきたが、具体的な構成は、この実施例に限らず、本発明の要旨を逸脱しない程度の設計的変更は、本発明に含まれる。
【符号の説明】
【００４０】
１、１Ａ    回転刃の目立て装置
２          ベース
２１        ローラ（指示手段）
２２        スプロケット
２３        ガイドレール
３          ベルト（巻掛伝動部材）
４          ホルダ
４１        固定部
４２        研磨部材
４２ａ      すくい面用研磨部材
４２ｂ      逃げ面用研磨部材
４３        搖動部
４４        架橋部
５          波板部材
５１        （上側の）波板部材
５２        （下側の）波板部材
８０        ハンドル
９０        回転刃
９１        切刃
９１ａ      すくい面
９１ｂ      逃げ面
９２        ポケット
【図１】
2019000924.tif 000003
【図２】
2019000924.tif 000004
【図３】
2019000924.tif 000005
【図４】
2019000924.tif 000006
【図５】
2019000924.tif 000007
【図６】
2019000924.tif 000008
【図７】
2019000924.tif 000009
【図８】
2019000924.tif 000010
【図９】
2019000924.tif 000011